(57)【要約】      （修正有）【課題】フィンボックスにフィンを、容易かつ確実に固定することができるフィン固定金具を提供する。【解決手段】フィン固定金具１は、サーフボード２００に設けられ、前後方向に延び、フィン１００の基端が挿入されるフィン挿入溝２１１と、フィン挿入溝よりサーフボードの内部側に形成され、フィン挿入溝より広い幅で形成され、フィンの一部が係合するフィン係合溝２１２と、を備えるフィンボックス２１０に、フィンを固定するための固定金具であり、フィンの基端に取り付けられ、フィン挿入溝２１１の幅よりも狭い幅で形成された本体１０と、球形状に形成され、その一部が本体の幅方向の側面に形成された第１開口部１２と第２開口部１３から突出する突出部３０と、本体の内部に配置され、突出部を、第１開口部と第２開口部から突出する方向に付勢する付勢部４０と、を備える。【選択図】図７
0003199913.tif 000002
【実用新案登録請求の範囲】
【請求項１】
サーフボードに設けられ、前後方向に延び、フィンの基端が挿入されるフィン挿入溝と、前記フィン挿入溝より前記サーフボードの内部側に形成され、前記フィン挿入溝より広い幅で形成され、前記フィンの一部が係合するフィン係合溝と、を備えるフィンボックスに、フィンを固定するフィン固定金具であって、
前記フィンの基端に取り付けられ、前記フィン挿入溝の幅よりも狭い幅で形成された本体と、
球形状に形成され、その一部が前記本体の幅方向の側面に形成された開口部から突出する突出部と、
前記本体の内部に配置され、前記突出部を、前記開口部から突出する方向に付勢する付勢部と、を備えるフィン固定金具。
【請求項２】
前記本体は、前記本体の幅方向一方の側面に形成された第１開口部と、前記本体の幅方向他方の側面に形成された第２開口部と、を備え、
前記第１開口部及び前記第２開口部からは、それぞれ前記付勢部に付勢された前記突出部の一部が突出する請求項１に記載のフィン固定金具。
【考案の詳細な説明】
【技術分野】
【０００１】
本考案は、フィン固定金具に関し、特に、サーフボードに設けられ、前後方向に延び、フィンの基端が挿入されるフィン挿入溝と、フィン挿入溝よりサーフボードの内部側に形成され、フィン挿入溝より広い幅で形成され、フィンの一部が係合するフィン係合溝と、を備えるフィンボックスに、フィンを固定するフィン固定金具に関する。
【背景技術】
【０００２】
従来、フィンを着脱できるサーフボードには、前後方向に延びフィンの基端が挿入されるフィン挿入溝と、フィン挿入溝よりサーフボードの内部側に形成され、フィン挿入溝より広い幅で形成され、フィンの一部が係合するフィン係合溝と、を備えるフィンボックスが設けられている。
【０００３】
このようなフィンボックスにフィンを取り付けるフィン固定金具として、長方形の一対の対角部を大きなＲ形状とした係合金具と、係合金具と一体とされた雄ネジを有するネジピンと、フィンの基端側に挿通され、フィンの基端側が突出したネジピンと螺合する樹脂ナットと、を備えるフィン固定金具が提案されている（特許文献１参照）。
【０００４】
この特許文献１のフィン固定金具によれば、フィンの貫通孔にネジピンを挿入し、この貫通孔から突出したネジピンに樹脂ナットを螺合させ、係合金具をフィンボックスの挿入凹部に挿入して係合凹部に同通し、樹脂ナットを緩め、係合金具を回転させ、係合金具の向きを挿入凹部が延びる方向と異なる向きにして、フィンボックスの係合部壁に係合させ樹脂ナットを締め付け、フィンとフィンボックスとを固定する。
【先行技術文献】
【特許文献】
【０００５】
【特許文献１】特開２０１２−１２６３７２号公報
【考案の概要】
【考案が解決しようとする課題】
【０００６】
しかしながら、使用者は、フィンの基端をフィンボックスに挿入した状態では、フィンボックス内を視認することはできないので、特許文献１のフィン固定金具を用いた場合、係合金具の向きがフィンボックスの挿入凹部が延びる方向と異なる向きになっているかどうかを視認することができない。このため、使用者が、係合金具の向きが挿入凹部が延びる方向と異なる向きになっていると思って、樹脂ナットを締め付けても、実際は係合金具の向きが挿入凹部の延びる方向と同じ向きであったため、フィンとフィンボックスとが固定されていない場合がある。
【０００７】
本考案は、フィンボックスにフィンを、容易かつ確実に固定することができるフィン固定金具を提供することを目的とする。
【課題を解決するための手段】
【０００８】
（１）  サーフボードに設けられ、前後方向に延び、フィンの基端が挿入されるフィン挿入溝と、前記フィン挿入溝より前記サーフボードの内部側に形成され、前記フィン挿入溝より広い幅で形成され、前記フィンの一部が係合するフィン係合溝と、を備えるフィンボックスに、フィンを固定するフィン固定金具であって、
前記フィンの基端に取り付けられ、前記フィン挿入溝の幅よりも狭い幅で形成された本体と、
球形状に形成され、その一部が前記本体の幅方向の側面に形成された開口部から突出する突出部と、
前記本体の内部に配置され、前記突出部を、前記開口部から突出する方向に付勢する付勢部と、を備えるフィン固定金具。
【０００９】
（１）のフィン固定金具は、サーフボードに設けられ、前後方向に延び、フィンの基端が挿入されるフィン挿入溝と、フィン挿入溝よりサーフボードの内部側に形成され、フィン挿入溝より広い幅で形成され、フィンの一部が係合するフィン係合溝と、を備えるフィンボックスに、フィンを固定するフィン固定金具であって、本体と、突出部と、付勢部と、を備える。
本体は、フィンの基端に取り付けられ、フィン挿入溝の幅よりも狭い幅で形成されている。
突出部は、球形状に形成され、その一部が本体の幅方向の側面に形成された開口部から突出する。
付勢部は、本体の内部に配置され、突出部を、開口部から突出する方向に付勢する。
【００１０】
これにより、フィン固定金具は、以下のように使用され、フィンボックスに、フィンを固定する。
まず、使用者は、フィンの基端の一方（前方又は後方）側に設けられた金具取付部に、フィン固定金具の本体を取り付ける。そして、フィンの基端の他方（前方又は後方）側に設けられたピン（フィン係合溝と係合するフィンの一部）を、フィン係合溝に挿入し、フィンを前後方向にスライド移動させ、フィンの位置を調整する。
【００１１】
そして、使用者は、フィンの位置が決まったら、フィンボックスのフィン挿入溝にフィン固定金具を当接させる。このとき、フィン固定金具は、突出部の本体の開口部から突出する部分がフィン挿入溝の縁に当接した状態である。
次に使用者は、フィンをフィンボックス側に押圧して、本体をフィン挿入溝内に押し込む。すると、フィン固定金具の突出部は、フィン挿入溝の縁に当接し、本体の内部側に引っ込み、本体がフィン挿入溝を通過し、フィン係合溝内に入ると、付勢部に付勢されて、その一部が、再び開口部から突出する。これにより、フィンボックスとフィン固定金具とが係合した状態となり、フィンボックスにフィンが固定される。
【００１２】
このように、使用者は、フィンにフィン固定金具を取り付け、このフィン固定金具をフィンボックスのフィン係合溝内に押し込むだけで、フィンボックスにフィンを固定できる。
したがって、フィンボックスにフィンを、容易かつ確実に固定することができるフィン固定金具を提供できる。
【００１３】
（２）  前記本体は、前記本体の幅方向一方の側面に形成された第１開口部と、前記本体の幅方向他方の側面に形成された第２開口部と、を備え、
前記第１開口部及び前記第２開口部からは、それぞれ前記付勢部に付勢された前記突出部の一部が突出する（１）に記載のフィン固定金具。
【００１４】
（２）のフィン固定金具によれば、本体の幅方向の両側面から、付勢部に付勢された突出部の一部を突出させるので、安定した状態で、フィンボックスとフィン固定金具とを係合させることができる。
したがって、フィンボックスにフィンを、容易かつより確実に固定することができるフィン固定金具を提供できる。
【考案の効果】
【００１５】
本考案によれば、フィンボックスにフィンを、容易かつ確実に固定することができるフィン固定金具を提供できる。
【図面の簡単な説明】
【００１６】
【図１】図１は、本考案の一実施形態に係るフィン固定金具１を取り付けたフィン１００を、サーフボード２００に取り付ける途中の状態を示す図である。
【図２】図２は、前記実施形態に係るフィン固定金具１を取り付けたフィン１００を、サーフボード２００に取り付けた状態を示す図である。
【図３】図３は、前記実施形態に係るフィン固定金具１の平面図である。
【図４】図４は、前記実施形態に係るフィン固定金具１をフィン１００に取り付けた状態を示す側面図である。
【図５】図５は、前記実施形態に係るフィン固定金具１の断面図である。
【図６】図６は、前記実施形態に係るフィン固定金具１の断面図である。
【図７】図７は、前記実施形態に係るフィン固定金具１の断面図である。
【図８】図８は、前記実施形態の変形例に係るフィン固定金具１Ａの断面図である。
【考案を実施するための形態】
【００１７】
本考案の実施形態に係るフィン固定金具１の構成を図面に基づいて説明する。なお、以下の説明において、同様の構成には同一の符号を付し、その説明を省略又は簡略化する。
図１は、本考案の一実施形態に係るフィン固定金具１を取り付けたフィン１００を、サーフボード２００に取り付ける途中の状態を示す図である。
図２は、前記実施形態に係るフィン固定金具１を取り付けたフィン１００を、サーフボード２００に取り付けた状態を示す図である。
【００１８】
フィン固定金具１は、フィン１００に取り付けられて、サーフボード２００に設けられたフィンボックス２１０に、フィン１００を固定する。
フィンボックス２１０は、前後方向に延び、フィンの基端が挿入されるフィン挿入溝２１１と、フィン挿入溝２１１よりサーフボード２００の内部側に形成され、フィン挿入溝２１１より広い幅で形成され、後述するフィン１００のピン１３０が係合するフィン係合溝２１２と、を備える。
また、フィン挿入溝２１１には、略中央にフィン挿入溝２１１より広い幅で形成されたピン挿入用欠き込み２１３が形成されている。
【００１９】
フィン１００は、フィン本体１１０と、フィン本体１１０の基端の一方（図１に示す例では後方）に設けられた金具取付部１２０と、フィン本体１１０の基端の他方（図１に示す例では前方）に設けられたピン１３０と、を備える。
フィン１００は、フィンボックス２１０に取り付ける場合、ピン１３０を、フィンボックス２１０のピン挿入用欠き込み２１３を介して、フィン係合溝２１２に挿入し、フィン係合溝２１２内でスライド移動させることで、図１に示す状態となる。
なお、フィン１００は、フィン本体１１０の基端の前方側に金具取付部１２０が設けられ、フィン本体１１０の基端の後方側にピン１３０が設けられていてもよい。
【００２０】
図３は、前記実施形態に係るフィン固定金具１の平面図である。
図４は、前記実施形態に係るフィン固定金具１をフィン１００に取り付けた状態を示す側面図である。
図５から図７は、前記実施形態に係るフィン固定金具１の断面図である。図５は、フィン１００をフィンボックス２１０に固定する前の状態を示している。図６は、フィン１００をフィンボックス２１０に固定する途中の状態を示している。図７は、フィン１００をフィンボックス２１０に固定した後の状態を示している。
フィン固定金具１は、本体１０と、フィン取付ボルト２０と、突出部３０と、付勢部４０（図５参照）と、を備える。
【００２１】
本体１０は、直方体形状に形成され、フィン取付ボルト２０によりフィン１００の金具取付部１２０に取り付けられ、短辺方向の幅がフィン挿入溝２１１の幅よりも狭い寸法で形成されている。
また、本体１０は、略中央に天面から底面まで貫通する螺子孔１１が形成され、本体１０の幅方向一方の側面に形成された円形状の第１開口部１２と、本体１０の幅方向他方の側面に形成された円形状の第２開口部１３と、を備える。
第１開口部１２と第２開口部１３とは、向きが反転し前後方向に配列されている。
【００２２】
フィン取付ボルト２０は、フィン１００の金具取付部１２０に形成された挿通孔１２１の内径より大きい外径で形成された頭部２１と、頭部２１の底面から延び、挿通孔１２１の内径より小さい外径の螺子山が形成された首部２２と、を備える。
フィン取付ボルト２０は、首部２２がフィン１００の金具取付部１２０に形成された挿通孔１２１に挿通され突出し、頭部２１の底面が金具取付部１２０に当接する。また、首部２２は、金具取付部１２０から突出した部分が本体１０の螺子孔１１と螺合する。
【００２３】
突出部３０は、本体１０の内部に配置され、本体１０の第１開口部１２及び第２開口部１３の内径より大きい外径の球形状に形成され、本体１０の第１開口部１２及び第２開口部１３に対応する位置にそれぞれ設けられ、その一部が本体１０の第１開口部１２又は第２開口部１３から突出する。また、突出部３０は、その外径が、フィンボックス２１０のフィン係合溝２１２のデッキ・ボトム方向の幅より大きい寸法で形成されている。
【００２４】
付勢部４０は、本体１０の内部に配置され、本体１０の第１開口部１２及び第２開口部１３に対応する位置にそれぞれ設けられた突出部３０を、それぞれ第１開口部１２又は第２開口部１３から突出する方向に付勢する弾性体（例えば、バネやゴム等）で構成されている。
【００２５】
以上の構成により、フィン固定金具１は、本体１０の第１開口部１２及び第２開口部１３から突出部３０が突出した状態の短辺方向の幅が、フィン挿入溝２１１の幅よりも広く、フィン係合溝２１２の幅よりも狭い寸法となる。
【００２６】
次に、フィン固定金具１により、フィンボックス２１０に、フィン１００を固定する手順について説明する。
まず、使用者は、フィン１００の基端の一方（前方又は後方）側に設けられた金具取付部１２０に、フィン固定金具１の本体１０をフィン取付ボルト２０により取り付け、本体１０の突出部３０の中心位置の高さ（フィン１００の下端からの高さ）が、フィン１００のピン１３０の中心位置の高さ（フィン１００の下端からの高さ）と、が同じになるように調整し、図４に示す状態とする。
そして、フィン１００の基端の他方（前方又は後方）側に設けられたピン１３０を、フィンボックス２１０のピン挿入用欠き込み２１３からフィン係合溝２１２に挿入し、フィン１００を前後方向にスライド移動させ、フィン１００の位置を調整する。
【００２７】
そして、使用者は、フィン１００の位置が決まったら、フィンボックス２１０のフィン挿入溝２１１にフィン固定金具１を当接させ図５に示す状態とする。このとき、フィン固定金具１は、突出部３０の本体１０の第１開口部１２及び第２開口部１３から突出する部分がフィン挿入溝２１１の縁に当接した状態となる。
次に使用者は、フィン１００をフィンボックス２１０側に押圧して、本体１０をフィン挿入溝２１１内に押し込む。すると、フィン固定金具１の突出部３０は、フィン挿入溝２１１の縁に当接し、本体１０の内部側に引っ込み、図６に示す状態となる。
そして、使用者は、更に、フィン１００をフィンボックス２１０側に押圧する。すると、本体１０がフィン挿入溝２１１を通過し、フィン係合溝２１２内に入ると、突出部３０が付勢部４０に付勢されて、その一部が、再び第１開口部１２及び第２開口部１３から突出し、フィン係合溝２１２のデッキ方向の縁及びボトム方向の縁に当接し、図７に示す状態となる。これにより、フィンボックス２１０とフィン固定金具１とが係合した状態となる。このため、フィンボックス２１０の底面とフィン１００の下端との間に隙間があっても、フィン１００は、フィンボックス２１０において、一方（前方又は後方）側の基端が金具取付部１２０により、また、他方（前方又は後方）側の基端がピン１３０により、フィンボックス２１０に固定される。
【００２８】
一方、フィン１００を、フィンボックス２１０から取り外す場合には、使用者は、図７に示す状態から、フィン１００をフィンボックス２１０から引き抜く方向に力を加え、本体１０を、フィン係合溝２１２側からフィン挿入溝２１１内に押し込む。すると、フィン固定金具１の突出部３０は、フィン挿入溝２１１の縁に当接し、本体１０の内部側に引っ込み、図６に示す状態となる。
そして、使用者は、更に、フィン１００をフィンボックス２１０から引き抜く方向に力を加える。すると、本体１０がフィン挿入溝２１１を通過し、フィンボックス２１０の外部に引き抜かれると、突出部３０が付勢部４０に付勢されて、その一部が、再び第１開口部１２及び第２開口部１３から突出し、図５に示す状態となる。
【００２９】
その後、使用者は、フィン１００のピン１３０を、フィン係合溝２１２内でスライド移動させ、ピン挿入用欠き込み２１３から引き抜くことで、フィンボックス２１０からフィン１００を取り外すことができる。
【００３０】
図８は、前記実施形態の変形例に係るフィン固定金具１Ａの断面図である。
フィン固定金具１Ａは、突出部３０Ａの外径が突出部３０（図７参照）の外径より大きい点がフィン固定金具１と異なる。このように、フィン固定金具は、フィンボックスに固定できれば、突出部の外径を任意の寸法とすることができる。
なお、フィン係合溝２１２のボトムからデッキ方向（高さ方向）の長さが、突出部３０が突出した際の最大の外径の長さよりも長い場合は、多少の隙間が開く場合があるが、この場合であっても、ピン１３０から突出部３０までのフィン１００の前後方向の固定により、フィン１００を固定することが可能である。
【００３１】
このように、本実施形態に係るフィン固定金具１によれば、使用者は、フィン１００にフィン固定金具１を取り付け、このフィン固定金具１をフィンボックス２１０のフィン係合溝２１２内に押し込むだけで、フィンボックス２１０にフィン１００を固定できる。
また、フィン固定金具１によれば、使用者は、フィン固定金具１をフィンボックス２１０のフィン係合溝２１２内から引き抜くだけで、フィンボックス２１０からフィン１００を取り外すことができる。
したがって、フィンボックスにフィンを、容易かつ確実に固定し、取り外すことができるフィン固定金具を提供できる。
【００３２】
また、フィン固定金具１によれば、本体１０の幅方向の両側面から、付勢部４０に付勢された突出部３０の一部を突出させるので、安定した状態で、フィンボックス２１０とフィン固定金具１とを係合させることができる。
したがって、フィンボックスにフィンを、容易かつより確実に固定することができるフィン固定金具を提供できる。
【００３３】
なお、本考案は前記実施形態に限定されるものではなく、本考案の目的を達成できる範囲での変形、改良等は本考案に含まれるものである。
【符号の説明】
【００３４】
１、１Ａ      フィン固定金具
１０    本体
１１    螺子孔
１２    第１開口部
１３    第２開口部
２０    フィン取付ボルト
２１    頭部
２２    首部
３０、３０Ａ    突出部
４０    付勢部
１００  フィン
１１０  フィン本体
１２０  金具取付部
１２１  挿通孔
１３０  ピン
２００  サーフボード
２１０  フィンボックス
２１１  フィン挿入溝
２１２  フィン係合溝
２１３  ピン挿入用欠き込み
【図１】
0003199913.tif 000003
【図２】
0003199913.tif 000004
【図３】
0003199913.tif 000005
【図４】
0003199913.tif 000006
【図５】
0003199913.tif 000007
【図６】
0003199913.tif 000008
【図７】
0003199913.tif 000009
【図８】
0003199913.tif 000010